(57)【要約】      （修正有）【課題】運動中に着用しても衛生的に水分補給できるマスクを提供する。【解決手段】マスク１は着用者の口を覆うマスク本体２と、マスク本体２の左右に設けられる耳掛部３と、マスク本体２に設けられるつまみ部４とを備える。マスク１は、マスク１着用中に、つまみ部４を持ち上げることによって本体２部分に触れることなく口元などを露出することができ、衛生的である。つまみ部４は一例としてマスク１の下側に備えることができる。【選択図】図１
0003228075.tif 000002
【実用新案登録請求の範囲】
【請求項１】
着用者の口を覆うマスク本体と、
前記マスク本体の左右に設けられる耳掛部と、
前記マスク本体に設けられるつまみ部と、
を備えることを特徴とする、マスク。
【請求項２】
前記つまみ部は、前記マスク本体の左右方向中央部に設けられる、請求項１に記載のマスク。
【請求項３】
前記つまみ部は、前記マスク本体の下側に設けられる、請求項１または２に記載のマスク。
【請求項４】
前記つまみ部は、長尺部材を折りたたんで基部を前記マスク本体に結合することによって構成される、請求項１〜３のいずれか一項記載のマスク。
【考案の詳細な説明】
【技術分野】
【０００１】
本考案はマスクに関する。
【背景技術】
【０００２】
近年、感染症対策で運動中でもマスクを着用したいという需要がある。しかしながら、運動中は水分補給をする際などにマスクを頻繁に手で触らなければならず、不衛生である。
【０００３】
特許文献１には、位置調整用の突出部をマスクの左右端部に設けたマスクが開示されている。
【先行技術文献】
【特許文献】
【０００４】
【特許文献１】特開２０１８−１１７９０８号公報
【考案の概要】
【考案が解決しようとする課題】
【０００５】
上述した技術は、位置調整用の突出部がマスクの左右端部に設けられており、水分補給時にマスクを持ち上げる場合には使いにくい。
【０００６】
そこで、本考案は、マスク着用中に口元や鼻を一時的に露出したいときに、本体部を触らずに持ち上げることができるマスクを提供することを一つの目的とする。
【課題を解決するための手段】
【０００７】
本考案によれば、着用者の口を覆うマスク本体と、前記マスク本体の左右に設けられる耳掛部と、前記マスク本体に設けられるつまみ部と、を備えることを特徴とする、マスクが得られる。
【考案の効果】
【０００８】
本考案によれば、マスク着用中に口元や鼻を一時的に露出したいときに、マスクの本体部に手を触れることなく、マスクを持ち上げることができる。
【図面の簡単な説明】
【０００９】
【図１】本考案のマスクを説明する図である。
【図２】本考案のマスク本体部を説明する図である。
【図３】本考案のマスク本体部を説明する図である。
【図４】本考案のマスク本体部を説明する図である。
【図５】本考案のマスク本体部を説明する図である。
【図６】本考案のマスク本体部を説明する図である。
【図７】本考案のマスク本体部を説明する図である。
【図８】本考案のマスク本体部を説明する図である。
【図９】本考案のマスク本体部を説明する図である。
【図１０】本考案のマスク本体部の変形例１を説明する図である。
【図１１】本考案のマスク本体部の変形例１を説明する図である。
【図１２】本考案のマスク本体部の変形例１を説明する図である。
【図１３】本考案のマスク本体部の変形例２を説明する図である。
【図１４】本考案のマスク本体部の変形例２を説明する図である。
【図１５】本考案のマスク本体部の変形例２を説明する図である。
【考案を実施するための形態】
【００１０】
本考案の実施形態の内容を列記して説明する。本考案は、以下のような構成を備える。
［項目１］
着用者の口を覆うマスク本体と、
前記マスク本体の左右に設けられる耳掛部と、
前記マスク本体に設けられるつまみ部と、
を備えることを特徴とする、マスク。
［項目２］
前記つまみ部は、前記マスク本体の左右方向中央部に設けられる、項目１に記載のマスク。
［項目３］
前記つまみ部は、前記マスク本体の下側に設けられる、項目１または２に記載のマスク。
［項目４］
前記つまみ部は、長尺部材を折りたたんで基部を前記マスク本体に結合することによって構成される、項目１〜３のいずれか一項記載のマスク。
【００１１】
＜実施の形態の詳細＞
以下、本考案の実施の形態について、図面を参照しながら説明する。
【００１２】
＜概要＞
本考案の実施の形態によるマスクは、マスク本体につまみ部４を設けたことを特徴とする。着用者はマスクを装着しながら水分補給をしたいときなどに、手でつまみ部４を持ち上げて口元を露出することができる。つまみ部４を設けることによって、マスク本体２に直接手で触れる必要がないので、衛生的である。
【００１３】
＜構成＞
図１に示されるように、本考案のマスクは、全体として一般的なマスクの構成を有している。すなわち、口元を覆うマスク本体２と、左右に設けられた耳掛部３とから主に構成される。そして本考案のマスクは、マスク本体２につまみ部４を備えている。
【００１４】
マスク本体２は、着用者の口元を覆うことのできる大きさ及び形状を有している。一実施形態においてマスク本体２は一般的なマスクと同様にシート状であり、略長方形である。マスク本体２の素材はマスクの技術分野において従来から用いられているものでよく、綿、麻、ガーゼ、ポリエステル、ナイロン及びこれらの混合素材等を採用することができる。特に伸縮性を有する素材であることが好ましい。また、運動中に使用する場合には通気性の良いメッシュ素材であるとより好ましい。また、不織布から構成することもでき、不織布の繊維素材としては、例えば、ＰＥＴ（ポリエチレンテレフタレート）等のポリエステル；ＰＥ（ポリエチレン）、ＰＰ（ポリプロピレン）、エチレンプロピレン共重合体等のポリオレフィン；レーヨン；コットン等から選択される１種又は２種以上の繊維で構成されるものが好ましい。また、不織布としては、前記の１種又は２種以上の素材の繊維を用いて、エアスルー法、スパンボンド法、ニードルパンチ法、メルトブローン法、カード法、熱融着法、水流交絡法、溶剤接着法等により製造されたものを用いることができる。
【００１５】
マスク本体２は顔にフィットするように適宜形状を調整することができる。例えば、装着時に上（鼻の側）に配置される上辺２２を図１に図示するように中心付近で山形になるようにしてもよい。また、上辺２２の鼻にあたる部分に針金などの形状記憶の可能な成形部材を挿入してもよい。マスク本体２は、口元が立体的になるように、上辺２２と、下辺２１の中央付近においてマチ２４を設けてもよい。マチ２４は図１に示した形状に限らず立体的になるものであればよい。また、横方向にプリーツを入れることとしてもよい。
【００１６】
耳掛部３は、マスク本体２の左右端部に結合され、着用者の耳にマスクを保持することができる。耳掛部３はゴムひものような伸縮性のある紐状部材３１を用いることができる。また、図１に示すように耳掛部３の長さを調整可能な調整部３２を備えてもよい。調整部３２は例えば筒状形状を有し、耳掛部３を貫通孔に通して任意の場所で止めることができる。一例として、調整部３２が耳掛部３との間に強い摩擦を発生させる樹脂などの素材からなることによって、任意の位置で調整部３２を位置させることができるようにしてもよい。耳掛部３はマスク本体２の左右端部に縫い付けられてもよいし、マスク本体２の左右端部にシートを折り返すことによって設けられた筒状部２３に通されることによってマスク本体２に結合される。耳掛部３の構成は本記載に制限されず、従来のマスクにおいて用いられるものを任意に用いることができる。
【００１７】
つまみ部４は、マスク本体２に設けられ、着用者が手でつまむことができるものである。一例として、つまみ部４はマスク本体２の下辺２１に沿って設けられる。図１の例では、シート状の部材をループ状に折りたたみ、基部をマスク本体２の下辺２１の縫い目に沿って縫い付けられている。つまみ部４の素材は特に制限はなく、任意の素材からなる布、紐を用いることができる。また、形状も、上記ループ状に折りたたんだ形状に限らず、単に布などのシート状の部材の一端部をマスク本体２に結合させたものであってもよい。
【００１８】
つまみ部４は、図２に示すように、マスク本体２の中央下端部において縦向きに設けられてもよい。また、図３に示すように、マスク本体２の下端部において、つまみ部４が下向きになるように設置されてもよい。
【００１９】
つまみ部４の数は１つでもよいし、図４に示すように複数あってもよい。図４は、つまみ部４を下辺２１に沿って左右に２か所設けた例である。複数設ける場合は、マスク本体2に対して左右対称の位置に設けることが好ましい。
【００２０】
つまみ部４の形状及び大きさは、手でつまむことができれば特に制限はないが、例えば横幅１ｍｍ〜５ｃｍ程度である。図５は、つまみ部４を左右方向に長尺に形成した例を示している。このように長尺であると、着用者から見て死角であっても簡単につまむことができる。
【００２１】
図６は、つまみ部４を紐状部材で構成した場合を示している。つまみ部４は、着用者が手でつまむことができれば、このように紐状部材をループさせて両端部をマスク本体２に縫い付けてもよい。
【００２２】
図１〜図６では、つまみ部４をマスク本体２の下端部に設ける例を示した。つまみ部４を下端部に設けることによって、マスクの下辺２１を持ち上げることができ、口元だけを露出させやすい。
【００２３】
つまみ部４は、下端部に限らず、他の場所に設けてもよい。図７、図８は、マスク本体２の上下方向の中央部付近に設けた例を示している。立体形状のマスクの場合、中央部につまみ部４があることによって、より自然につまむことができる。
【００２４】
また、図９は、つまみ部４を上辺２２の付近に設けた例を示している。図９では、つまみ部４は左右方向中央部において、上端から縦方向に設けられている。上端部につまみ部４を設けることによって鼻をかみたいときなどにマスクの上端をずらしやすい。
【００２５】
（変形例１）
図１０〜図１２は、つまみ部４に固定部４１を設けた変形例１を説明する図である。本実施の形態においては、つまみ部４の先端部が自由に動かないようにマスク本体２に固定する固定部４１を設けている。固定部４１は、つまみ部４とマスク本体２とが固定できれば具体的な構成は問わない。
【００２６】
例えば図１０は、固定部４１として、つまみ部４を外側から押さえることが可能な布部材を設けている。固定部４１は、左右端部においてマスク本体２に縫合などによって結合し、その中央においてはマスク本体２と分離可能であるため、つまみ部４を固定部４１とマスク本体２との間に差し込むことが可能である。図１０では布部材は細長いバンド状であるが、形状や大きさはこれに限られない。図１０のような固定部４１を設けることによって、マスクをはずさないときはつまみ部４を固定部４１の下に差し込んで先端部がひらひらしないようにすることができる。
【００２７】
また、固定部４１は、面ファスナーやボタンなどの結合手段であってもよい。図１１（ａ）、（ｂ）では一例として、スナップボタン等の結合手段によりつまみ部４とマスク本体２とを結合させる例を示している。図１１（ｂ）はマスクを横から見た図であるが、つまみ部４は、マスク本体２側の面において第一の固定部材を有し、マスク本体２はつまみ部４側に第二の固定部材を有している。第一、第二の固定部材は例えば互いに結合可能なスナップボタンである。又は、一方をボタン、他方をボタンホールとしてもよい。また第一、第二の固定部材は面ファスナーであってもよい。
【００２８】
また、図１１は、つまみ部４をマスク本体２の下辺２１から上に伸びるように備え、固定部４１をつまみ部４の上端付近に設けた例を示した。図１２は、つまみ部４をマスク本体２の下辺２１に沿って、中央部から横向きに伸びるように備え、固定部４１をつまみ部４の先端付近に設けた例を示している。このように、つまみ部４の形状や設置向きによって固定部４１の位置は適宜選択することができる。
【００２９】
（変形例２）
図１３〜図１５は、つまみ部４を設けたマスクをより使いやすくするための変形例２を説明する図である。まず図１３は、耳掛部３において、耳掛部下側３１Ａを、耳掛部上側３１Ｂよりも伸縮性が高い素材で構成した例を示す図である。耳掛部３において、下側３１Ａと上側３１Ｂとで伸縮性を変えることによって、つまみ部４を持ち上げる際に、マスクの下側を楽に引き上げることができる。また、耳掛部上側３１Ｂは、耳掛部下側３１Ａよりも伸縮性が高いので、耳掛部３が全体として緩くなりすぎない。耳掛部下側３１Ａと耳掛部上側３１Ｂの境目の位置は、耳掛部下側３１Ａが上記効果を発揮できる程度の長さであれば特に制限はなく、耳掛部３の長さの中心でなくてもよい。
【００３０】
図１４は、マスク本体２の下辺２１において、伸縮部材２５を備えた例を示す図である。伸縮性部材２５は例えばゴムであり、マスク本体２の下辺２１に筒状部を形成して挿入保持されてもよいし、マスク本体２の下辺２１自体を伸縮性部材２５で構成してもよい。伸縮性部材２５は、マスク本体２の左右方向の全長にわたって設けてもよいし、その一部分にのみ設けられてもよい。また、図１５は、マスク本体２を下側素材２１Ａ及び上側素材２１Ｂによって上下で異なる素材を用いた例を示している。下側素材２１Ａは、上側素材２１Ｂよりも伸縮性の高い素材で構成することができる。下側素材２１Ａと上側素材２１Ｂとの境目の位置は特に制限はなく、上下方向に中心において切り替えられていてもよいし、中心から上下にずれた場所で切り替えてもよい。また、伸縮性の高い下側素材２１Ａは、マスク本体２の左右方向の全長にわたって設けられてもよいし、左右方向の一部分のみに設けられてもよい。下側素材２１Ａの素材は伸縮性を有する素材であり、ストレッチ性のある綿やポリエステルなどの任意の素材を用いることができる。このように、つまみ部４が設けられるマスク本体２の下側が上側よりも伸縮性を有することによって、つまみ部４を持ち上げる際に、マスクの下側を楽に引き上げることができる。
【００３１】
なお、図１３〜図１５では、つまみ部４をマスクの下側に設置した場合の例を示したが、図７〜図９のようにつまみ部４をマスクの上下方向中央や上方に備えた場合は、本変形例２において説明した伸縮性のある素材を配置する場所もつまみ部４の位置に合わせて変えることが望ましい。すなわち、例えばつまみ部４をマスクの上方に設けた場合は、図１３で説明した耳掛部３の耳掛部上側３１Ｂを、耳掛部下側３１Ａよりも伸縮性が高い素材で構成し、図１４で説明した伸縮部材２５をマスク上辺２２に設け、図１５で説明した上側素材２１Ｂを下側素材２１Ａよりも伸縮性のある素材で構成することとすればよい。
【００３２】
上述した実施の形態は、本考案の理解を容易にするための例示に過ぎず、本考案を限定して解釈するためのものではない。本考案は、その趣旨を逸脱することなく、変更、改良することができると共に、本考案にはその均等物が含まれることは言うまでもない。
【００３３】
例えば、つまみ部４は、マスク本体２の下側及び上側の上下２か所に設けてもよい。上下双方に備えることによって、例えば水を飲みたいときなど口元を露出したいときは下側のつまみ部４を持ち上げ、鼻をかみたいときなど鼻を露出したいときは上側のつまみ部４を持ち上げることができる。
【符号の説明】
【００３４】
１        マスク
２        マスク本体
３        耳掛部
４        つまみ部
【図１】
0003228075.tif 000003
【図２】
0003228075.tif 000004
【図３】
0003228075.tif 000005
【図４】
0003228075.tif 000006
【図５】
0003228075.tif 000007
【図６】
0003228075.tif 000008
【図７】
0003228075.tif 000009
【図８】
0003228075.tif 000010
【図９】
0003228075.tif 000011
【図１０】
0003228075.tif 000012
【図１１】
0003228075.tif 000013
【図１２】
0003228075.tif 000014
【図１３】
0003228075.tif 000015
【図１４】
0003228075.tif 000016
【図１５】
0003228075.tif 000017